(57)【要約】【課題】  繰り返し使用と水洗いを可能にして良好な隔離効果と防水通気効果を有する抗ウイルス防水布地の構造を提供する。【解決手段】  抗ウイルス防水布地の構造は布地基材１０を含む。布地基材の上には隔離層２０を有する。隔離層２０はポリウレタンＰＵ（Polyurethane）またはポリエチレン（ＰＥ）または熱可塑性ポリウレタンＴＰＵ（Polyurethane  Thermoplastic  Elastomer）から構成され、その上には保護層３０を有する。保護層３０はポリテトラフルオルエチレンＥＰＴＥＦ（expanded  polytetrafluroethlene）から構成され、耐化学性により保護効果を果たす。水洗いと繰返し使用が可能で、保護層３０により耐酸アルカリ性、抗油性、多孔による防水通気性を保持可能であると同時に隔離層２０により小分子の物質を隔離する隔離作用を発揮し、血液浸透またはウイルス浸透を防止する。【選択図】    図１
0003112558.tif 000002
【実用新案登録請求の範囲】
【請求項１】
ベースとなる布地基材を含み、布地基材の上には血液浸透またはウイルス浸透を防止可能な隔離層を有し、隔離層の上にはポリテトラフルオルエチレンから構成され、耐化学性により保護効果を果たす保護層を有することを特徴とする抗ウイルス防水布地の構造。
【請求項２】
隔離層はポリウレタン（ＰＵ）から構成されることを特徴とする請求項１に記載の抗ウイルス防水布地の構造。
【請求項３】
隔離層はポリエチレン（ＰＥ）から構成されることを特徴とする請求項１に記載の抗ウイルス防水布地の構造。
【請求項４】
隔離層は熱可塑性ポリウレタン（ＴＰＵ）から構成されることを特徴とする請求項１に記載の抗ウイルス防水布地の構造。
【請求項５】
保護層の上には任意の布地から構成される第二布地層を有することを特徴とする請求項１に記載の抗ウイルス防水布地の構造。
【請求項６】
保護層の厚さは３μｍから１２０μｍの間であることを特徴とする請求項１に記載の抗ウイルス防水布地の構造。
【考案の詳細な説明】
【技術分野】
【０００１】
本考案は、防水性と同時に通気性を有し、良好な隔離保護を提供可能な抗ウイルス防水布地の構造に関する。
【背景技術】
【０００２】
現在、業者は一般の布地に防水通気効果を与えるために布地にポリテトラフルオルエチレン（expanded  polytetrafluroethlene）を塗布する。この材料そのものはべた付きがなく耐酸アルカリ性、抗油性を有し、かつ平方インチごとに数億の孔が分布しているため、通気性を有するだけでなく、水滴の透過を遮断可能な防水通気効果を達すことが可能である。しかし、このような布地の構造は基本の防水通気効果を達成することは可能であるが、血液またはウイルスなどの分子が小さい物質の浸透を遮断することは不可能である。
【０００３】
先行技術の中華民国特許公告第150382号（アメリカ合衆国特許第4772510号）により掲示される「保護用着るものの製造に使用する織物」はポリビニルアルコール重合体またはその共重合体の薄膜を織物のベース上に設けることで隔離効果を達成するものである。
【０００４】
【特許文献１】中華民国特許公告第１５０３８２号（米国特許第４７７２５１０号）
【考案の開示】
【考案が解決しようとする課題】
【０００５】
しかしながらこのような構造はポリテトラフルオルエチレンが塗布されているものよりも隔離効果がよいが、その薄膜は加水分解されやすい。したがって、このような織物は水洗いすることができない。言い換えれば、このような織物はただ1回のみ使用可能な使い捨て商品となり、繰り返し使用することはできない。
【０００６】
したがって本考案の目的は、繰り返し使用と水洗いを可能にして良好な隔離効果と防水通気効果を有する抗ウイルス防水布地の構造を提供することにある。
【課題を解決するための手段】
【０００７】
上述の目的を達成するために本考案の請求項に記載の抗ウイルス防水布地の構造は、任意の布地から製作される布地基材を含む。布地基材の上には隔離層を有し、隔離層はポリウレタン、ポリエチレンまたは熱可塑性ポリウレタンのいずれか一つから構成され、かつ隔離層の上には保護層を有し、保護層はポリテトラフルオルエチレン（ＥＰＴＥＦ）から構成される。
【考案を実施するための最良の形態】
【０００８】
以下、本考案の実施例を図面に基づいて説明する。
図１は本考案の第一実施例による抗ウイルス防水布地の構造の分解状態を示す模式図である。
図２は本考案の第二実施例による抗ウイルス防水布地の構造の分解状態を示す模式図である。
【０００９】
本考案による抗ウイルス防水布地の構造は布地基材１０を含む。布地基材は材質が特に制限されず、ベースとなる任意の布地でもよい。布地基材の上には隔離層２０を有する。隔離層はポリウレタンＰＵ（Polyurethane）またはポリエチレン（ＰＥ）または熱可塑性ポリウレタンＴＰＵ（Polyurethane  Thermoplastic  Elastomer）から構成され、血液浸透またはウイルス浸透を防止可能である。隔離層の上には保護層３０を有する。保護層はポリテトラフルオルエチレンＥＰＴＥＦ（expanded  polytetrafluroethlene）から構成され、耐化学性により保護効果を果たすものである。
【００１０】
第一実施例では、布地基材はニット布地である。ニット布地の上にはポリウレタンの隔離層が配置される。隔離層の配置方法は塗布、貼り付けまたは浸漬などの方法である。かつ隔離層の厚さが厚ければ厚いほど効果がよいのに対し、製品の柔軟度は低い。したがって隔離層の厚さは実際の必要に応じ製作する際に３μmから１２０μmまでの間に調整され、特に厚さが５μmから１００μｍまでの間であることが一番好ましい。かつ隔離層の上にはポリテトラフルオルエチレンの保護層が配置される。これによって布地構造の全体は構成される。
【００１１】
上述の構造の組成により、本考案による抗ウイルス防水布地の構造は、周知の隔離用布地の欠点を改善可能であるだけでなく、水洗いと繰返し使用ができ、ポリテトラフルオルエチレン（ＥＰＴＥＦ）の保護層によりべた付きがなく、耐酸アルカリ性、抗油性、多孔による防水通気性を保持可能であると同時に隔離層により小分子の物質を隔離する隔離作用を発揮するため、血液浸透またはウイルス浸透を防止するという目的を達成し、着用者の保護隔離効果をより一層良好にすることが可能である。
【００１２】
続いて図２に示すのは本考案の第二実施例である。本実施例による抗ウイルス防水布地の構造は布地基材１０（本実施例ではニット布地）を含む。布地基材の上には隔離層２０を有する。隔離層はＰＵまたはＰＥまたはＴＰＵから構成され、血液浸透とウイルス浸透を防止可能である。隔離層の上には保護層３０を有する。隔離層はポリテトラフルオルエチレンから構成される。そして保護層の上には第二布地層４０を有する。第二布地層は任意の布地でも、布地基材と同じものでもよい。本実施例では、第二布地層は水平ニット布地層である。
【００１３】
上述の構造により合成された後の布地は使用範囲が広くなり、変化が多くなるため、本考案を商品化させれば市場の競争力を高めることが可能である。
【図面の簡単な説明】
【００１４】
【図１】本考案の第一実施例による抗ウイルス防水布地の構造の分解状態を示す模式図である。
【図２】本考案の第二実施例による抗ウイルス防水布地の構造の分解状態を示す模式図である。
【符号の説明】
【００１５】
１０  布地基材、２０  隔離層、３０  保護層、４０  第二布地層
【図１】
0003112558.tif 000003
【図２】
0003112558.tif 000004